(57)【要約】【課題】  内表面への加飾処理を、内容液への成分の溶出のない状態で達成することを技術課題として、もって今までにない独特な装飾性を有し、飲料用としても使用可能な合成樹脂製容器を提供することを目的とする。【解決手段】  合成樹脂製容器の内表面に、被覆樹脂中に通常の顔料、染料を有する核材、熱変色機能を有する核材、遮光機能を有する核材、コレステリック液晶ポリマーを含有する核材等の、様々な発色機能を有する核材を内包するマイクロカプセルをコーティング状に付着させて加飾したこと、にある。【選択図】      図１
2005104496.tif 000002
【特許請求の範囲】
【請求項１】
透明あるいは半透明の容器において、内表面を、被覆樹脂中に発色機能を有する核材を内包するマイクロカプセルをコーティング状に付着させて加飾したことを特徴とする合成樹脂製容器。
【請求項２】
核材が熱変色性機能を有することを特徴とする請求項１記載の合成樹脂製容器。
【請求項３】
核材がコレステリック液晶ポリマーを含有することを特徴とする請求項１記載の合成樹脂製容器。
【請求項４】
核材が遮光性機能を有することを特徴とする請求項１、２、３または４記載の合成樹脂製容器。
【請求項５】
被覆樹脂が容器を形成する合成樹脂と同一系統の合成樹脂からなることを特徴とする請求項１、２、３または４記載の合成樹脂製容器。
【発明の詳細な説明】
【技術分野】
【０００１】
本発明は、発色による加飾性が付与された合成樹脂製容器に関する。
【背景技術】
【０００２】
従来より、外表面への塗装、印刷等により加飾された容器が使用されている。また一方たとえば特許文献１、特許文献２、特許文献３には熱変色性、光変色性、熱遮光性等の様々な発色に係る機能性を有する核材を被覆樹脂で内包したマイクロカプセルに関する記載がある。
【特許文献１】特開平５−６１１３２
【特許文献２】特開２００２−１２７８７
【特許文献３】特開平８−３４１６８
【発明の開示】
【発明が解決しようとする課題】
【０００３】
本願発明者らは、透明あるいは半透明の樹脂から形成される容器の内表面に発色性を有する塗膜を形成することにより、湾曲した容器の壁による光の反射あるいは光の屈折と塗膜の発色性が相俟って今までにない独特な装飾効果が得られることを発見し、さらに発色に係る機能性を有する核材を被覆樹脂で内包したマイクロカプセルを利用すれば、塗膜成分の内容液中への溶出等の問題も解決できることを見出し、本発明に至った。
【０００４】
すなわち本発明は、内表面への加飾処理を、内容液への成分の溶出のない状態で達成することを課題として、もって今までにない独特な装飾性を有し、飲料用としても使用可能な合成樹脂製容器を提供することを目的とする。
【課題を解決するための手段】
【０００５】
本発明は前記目的を達成するためになされたものであり、本発明の目的を達成するための手段のうち、請求項１記載の発明の手段は、合成樹脂製容器の内表面に、被覆樹脂中に発色機能を有する核材を内包するマイクロカプセルをコーティング状に付着させて加飾したこと、にある。
【０００６】
ここで、マイクロカプセルは数ミクロン〜数十ミクロン程度の径を有し、通常界面活性剤を含有するモノマーに核材を乳化せしめて、この乳化液を界面活性剤水溶液中に滴下して分散させてエマルジョンを作り、系中のモノマーをラジカル付加重合させる等の方法で製造される。
【０００７】
また、本発明においてマイクロカプセルの容器内表面へのコーティング状の付着は、容器を成形後、あるいはブロー成形容器ではブロー成形中に、マイクロカプセルを粉体状で、あるいは水や溶剤に分散させた状態で吹き付け塗装状に内表面に吹き付けることにより達成することができ、簡単な工程を追加することで達成可能である。
【０００８】
そして、請求項１記載の上記構成により、容器が透明性あるいは半透明性であるので、湾曲した容器の壁による光の反射あるいは光の屈折と、内表面にコーティング状に付着したマイクロカプセルの発色作用が相俟って、着色層が透明あるいは半透明の壁の厚みを介して向こう側に見える、見る角度により発色濃度が異なる等、今までにない独特な装飾効果を得ることができる。
【０００９】
また、被覆樹脂で核材を内包したマイクロカプセルを使用することにより、内容液に直接接触するのは被覆樹脂であり、内容液に対して化学的に安定な樹脂を用いることにより発色機能を有する核材が直接内容液に接触することがないので、発色機能は安定して発揮される。また、食品衛生性を考慮して被覆樹脂を選定すれば飲料用容器としても使用することが可能となり、内容液への溶出等を考慮することなく、核材として通常の顔料、染料等を含有して通常の発色機能を有するものの他にも様々な発色機能を有する材料を使用することができる。
【００１０】
請求項２記載の発明の手段は、請求項１記載の発明において、核材が熱変色性機能を有すること、にある。
【００１１】
ここで、熱変色機能を有する核材としては、従来より熱により色、発色濃度等の発色性が変化する印刷インク、あるいはガラスのコーティング等に使用されて、温度表示、装飾、調光等の機能を有するサーモクロミック材料を使用できる。
【００１２】
請求項２記載の上記構成により、熱変色機能を有する核材により、装飾効果と共に、外部から内容液の温度を知ることが可能である。たとえば飲料用の容器では使用者は色の変化により飲み頃を知ることができる。
【００１３】
請求項３記載の発明の手段は、請求項１記載の発明において、核材がコレステリック液晶ポリマーを含有すること、にある。
【００１４】
請求項３記載の上記構成により、コレステリック液晶ポリマーの光学的性質により、見る角度により色合いが様々に変化する独特の装飾性を有した容器を提供することができる。
【００１５】
請求項４記載の発明の手段は、請求項１、２または３記載の発明において、核材が遮光性機能を有すること、にある。
【００１６】
請求項４記載の上記構成により、炭素系黒色顔料、酸化チタン等の遮光機能を有する微粒子を核材中に含有させて核材に遮光機能を発揮せしめることができるが、遮光性を有するマイクロカプセルを内表面にコーティング状に付着させることにより、容器の外表面に遮光性の塗膜を形成する、あるいは遮光性の微粒子を容器を形成する樹脂中に分散させる等の構成に比較して、容器の壁に透明感あるいは半透明感を保持させながら、光による内容液の変質を抑制することができる。
【００１７】
請求項５記載の発明の手段は、請求項１、２、３または４記載の発明において、マイクロカプセルの被覆樹脂を形成する樹脂が容器を形成する合成樹脂と同一系統の合成樹脂からなること、にある。
【００１８】
請求項５記載の上記構成により、少なくとも容器の内表面をガラス転移温度以上の高温状態にしておき、表面を軟化状態とした粉体状のマイクロカプセルを吹き付けて、マイクロカプセルを容器の内表面の樹脂と熱溶着させてコーティング状に付着させることが可能となり、水あるいは溶媒に分散させて吹き付ける方法に比較すれば、乾燥等の後処理工程を省くことができると共に、溶媒等の残存もなく飲料用の容器としても使用が可能となる。
【００１９】
たとえばブロー成形容器では、ブローエアに伴って粉体状の微粒子の表面を軟化させた状態を保ちながら容器に成形されつつあるパリソンあるいはプリフォームの内表面に吹き付ける方法等の工程で、微粒子の表面をまだ十分に高温状態にある容器の内表面の樹脂と熱溶着させてコーティング状に付着させることができる。微粒子の表面を軟化させた状態を保つ方法としては、高温のブローエアを用いる方法などが考えられる。また、高温エアにより微粒子の表面を軟化させながら吹き付けてもよい。もちろん容器をブロー成形後、金型による樹脂冷却が進行しないうちに、表面が軟化状態にある粉体状の微粒子を吹き付ける方法でも良い。
【発明の効果】
【００２０】
本発明は上記した構成となっているので、以下に示す効果を奏する。
請求項１記載の発明にあっては、容器が透明性あるいは半透明性であるので、湾曲した容器の壁による光の反射あるいは光の屈折と、内表面にコーティング状に付着したマイクロカプセルの発色作用が相俟って、着色層が透明あるいは半透明の壁の厚みを介して向こう側に見える、見る角度により発色濃度が異なる等、今までにない独特な装飾効果を得ることができる。
【００２１】
被覆樹脂に内容液に対して化学的に安定な樹脂を用いることにより発色機能を有する核材が直接内容液に接触することがないので、発色機能は安定して発揮される。また食品衛生性を考慮して被覆樹脂を選定すれば飲料用容器としても使用することが可能であり、核材として通常の顔料、染料等を含有して通常の発色機能を有するものの他にも様々な機能を有する材料を使用することができる。
【００２２】
また、マイクロカプセルの容器内表面へのコーティング状の付着は、容器を成形後、あるいはブロー成形容器では容器へのブロー成形中に、微粒子を粉体状で、あるいは水や溶剤に分散させた状態で吹き付け塗装状に、内表面に吹き付けることにより達成することができ、簡単な工程を追加することで達成可能である
【００２３】
請求項２記載の発明にあっては、熱変色機能を有する核材により、装飾効果と共に、外部から内容液の温度を知ることが可能である。たとえば飲料用の容器では使用者は色の変化により飲み頃を知ることができる。
【００２４】
請求項３記載の発明にあっては、コレステリック液晶ポリマーの光学的性質により見る角度により色合いが様々に変化する独特の装飾性を有した容器を提供することができる。
【００２５】
請求項４記載の発明にあっては、遮光性を有するマイクロカプセルを内表面にコーティング状に付着させることにより、容器の壁に透明感あるいは半透明感を保持させながら、光による内容液の変質を抑制することができる。
【００２６】
請求項５記載の発明にあっては、マイクロカプセルを容器の内表面に熱溶着させてコーティング状に付着させることが可能となり、水あるいは溶媒に分散させて吹き付ける方法に比較すれば、乾燥等の後処理工程を省くことができると共に、溶媒等の残存もなく飲料用の容器としても使用が可能となる。
【発明を実施するための最良の形態】
【００２７】
以下、図面を参照しながら本発明の実施の形態を説明するが、本発明はこれら実施例に限定されるものではない。図１は本発明の合成樹脂製容器の一実施例を示すものであり、容器１の内表面にマイクロカプセルコーティング状に積層された状態となっている。
【００２８】
容器１はブロー成形容器であり、透明な樹脂で形成されている。またマイクロカプセルＡは被覆樹脂４内に核材５を内包したものであり、被覆樹脂４は容器１を形成する合成樹脂と同一系統の合成樹脂から形成されており、各マイクロカプセルＡの被覆樹脂４は容器１の壁２の内表面に熱溶着すると共に、マイクロカプセルＡ同士も熱溶着して、全体としてコーティング層３を形成している。
【００２９】
ここで、核材５は被覆樹脂４により内包された状態で使用されるので、核材５としては通常の顔料、染料等を含有して通常の発色機能を有するもの、熱変色性機能を発揮するもの、コレステリック液晶ポリマーを含有して独特な光反射性を発揮するもの、遮光性機能を発揮するもの等の、様々な機能を有する材料を内容液への溶出性等を考慮することなく使用することができる。
【００３０】
このコーティング層３は、容器１のブロー成形工程で、マイクロカプセルＡの粉体をブローエア中に吹きこんで粉体の表面を軟化させた状態を保ちながら、ブローエアと共に、高温状態にある容器１の内表面に吹き付けて、被覆樹脂４と容器１の壁２を形成する樹脂、また被覆樹脂４同士の熱溶着により形成されたものである。なお、図１ではマイクロカプセルＡの核材５を黒に塗り潰して表している。
【００３１】
上記のように形成されてコーティング層３により、使用する核材５の機能性に応じて様々な発色機能が発揮される。たとえばサーモクロミック材料を含有して熱変色性機能を発揮する核材５によれば温度による発色性の変化により内容液の温度状態を知ることができる。
【００３２】
なお、容器の内表面にマイクロカプセルを付着させる方法にあっては、上記のように粉体を熱溶着で付着させる方法に限定されるものでなく、マイクロカプセルを水あるいは溶媒に分散させた状態で、容器の内表面に吹き付け塗装様に付着させる方法もあり、容器の用途に応じて選択することができる。また、コーティング層３の形成は必ずしも容器１の内表面の全域にする要はなく、加飾目的、加飾効果を考慮してたとえば胴部の一部にのみ形成することもできる。
【産業上の利用可能性】
【００３３】
今までにない独特な装飾性を有する容器として、化粧料用容器、飲料用容器等に幅広く使用することができる。
【図面の簡単な説明】
【００３４】
【図１】本発明の合成樹脂製容器の一実施例を示す、半縦断正面図である。
【符号の説明】
【００３５】
１  ；容器
２  ；壁
３  ；コーティング層
４  ；被覆樹脂
５  ；核材
Ａ  ；マイクロカプセル
【図１】
2005104496.tif 000003